(57)【要約】【課題】  クライアント端末から監視対象表示画像データの作成、変更を可能とすることにより、監視対象表示画像データの更新作業の負担を極めて軽減させる。【解決手段】  本発明の空調監視装置２は、クライアント端末から入力されたビルのフロアレイアウト情報および空気調和機の配置情報に基づいて、フロアレイアウト上に空気調和機の画像が配置された監視対象表示画像データ３１を作成する監視対象表示画像作成部３２と、空気調和機の運転状態情報とともに監視対象表示画像データを送信する通信部３５とを備える。【選択図】      図２
2005308278.tif 000002
【特許請求の範囲】
【請求項１】
ビルに設置された空気調和機の運転状態を監視し、ネットワークを介して接続されているクライアント端末の要求に対して、前記空気調和機の運転状態を通知する空調監視装置であって、
クライアント端末から送信された前記ビルのフロアレイアウト情報および前記空気調和機の配置情報に基づいて、空気調和機の配置を含むフロアレイアウトを表す監視対象表示画像データを作成する監視対象表示画像作成手段と、
前記空気調和機の運転状態情報とともに前記監視対象表示画像データを送信する送信手段と
を具備することを特徴とする空調監視装置。
【請求項２】
ビルに設置された空気調和機の運転状態を監視し、ネットワークを介して接続されているクライアント端末の要求に対して、前記空気調和機の運転状態を通知する空調監視装置であって、
クライアント端末から送信された前記ビルのフロアレイアウト情報に基づいてフロアレイアウトを表す監視対象表示画像データを作成する監視対象表示画像作成手段と、
前記クライアント端末から入力された空気調和機の配置情報と前記空気調和機の運転状態情報とに基づいて、前記監視対象表示画像上に、前記空気調和機の運転状態に応じた空気調和機の画像を表示させる空調機運転状態画像データを作成する空調機運転状態画像作成手段と、
前記監視対象表示画像データと前記空調機運転状態画像データとを前記空気調和機の配置情報に基づき対応づけて、前記クライアント端末へ送信する送信手段と
を具備することを特徴とする空調監視装置。
【請求項３】
前記空調機運転状態画像作成手段は、前記空気調和機の画像の周辺に、その空気調和機の運転状態情報が文字で表示されるように、前記空調機運転状態画像データを作成することを特徴とする請求項２に記載の空調監視装置。
【請求項４】
前記監視対象表示画像データは、ＷＥＢ画面作成言語により作成されていることを特徴とする請求項１から請求項３のいずれかの項に記載の空調監視装置。
【請求項５】
前記監視対象表示画像データは、フロアレイアウト画像を形成する複数のセル情報と、当該セルの属性を特定する属性情報とを有するものであって、
前記監視対象表示画像作成手段は、前記クライアント端末から送信された指示に基づき前記フロアレイアウト画像の所定の座標に表示される前記セルの属性情報を指示された属性に設定するとともに、前記セルの座標に対応付けて前記空気調和機の画像を配置させることを特徴とする請求項１から請求項４のいずれかの項に記載の空調監視装置。
【請求項６】
前記セルの属性の設定は、前記監視対象表示画像作成手段がクライアント端末に送信した複数の属性情報の選択指示に基づき行なわれるものであって、
当該選択指示は、表示座標と関連付けた指示情報であることを特徴とする請求項５に記載の空調監視装置。
【請求項７】
請求項１から請求項６のいずれかの項に記載の空調監視装置と、
前記空調監視装置により監視される空気調和機と、
前記空気調和機の運転状態が通知されるクライアント端末と
を具備することを特徴とするビル管理システム。
【発明の詳細な説明】
【技術分野】
【０００１】
本発明は、ビルに設置された空気調和機の運転状態を監視し、運転状態情報をネットワークを通じてクライアント端末へ提供する空調監視装置及びビル管理システムに関するものである。
【背景技術】
【０００２】
従来、ビル内に設置された複数の空気調和機の運転を集中監視するビル管理システムが知られている。
このようなビル管理システムでは、ビル内に備えられた空気調和機の運転制御等は、専用ネットワークを介して接続されている空調制御監視装置により行われる。また、この空調制御監視装置とクライアント端末とを公衆回線を介して接続することにより、クライアント端末から空気調和機の運転状態情報等の閲覧が可能な構成となっている。
例えば、特開平１０−２５４７３２号公報（特許文献１）には、この閲覧画面において、背景画像として、空気調和機が配置されているフロアレイアウトの画像が表示される技術が開示されている。
【特許文献１】特開平１０−２５４７３２号公報
【発明の開示】
【発明が解決しようとする課題】
【０００３】
しかしながら、上記特許文献１の発明では、空調制御監視装置からクライアント端末へ送信される背景画像データは、空調制御監視装置の技術者等によって予め作成され、保存されている固定データであり、ユーザがクライアント端末からこの背景画像データに変更を加える等の操作は、一切することができなかった。
このため、ビルのフロアレイアウト等に変更が生じる度に、管理業者が背景画像データを書き換えなければならず、背景画像データの変更作業が大きな負担となっていた。
【０００４】
本発明は、上記問題を解決するためになされたもので、クライアント端末から監視対象表示画像データの作成、変更を可能とすることにより、監視対象表示画像データの更新作業の負担を極めて軽減させることができる空調監視装置およびビル管理システムを提供することを目的とする。
【課題を解決するための手段】
【０００５】
上記課題を解決するために、本発明は以下の手段を採用する。
本発明は、ビルに設置された空気調和機の運転状態を監視し、ネットワークを介して接続されているクライアント端末の要求に対して、前記空気調和機の運転状態を通知する空調監視装置であって、クライアント端末から送信された前記ビルのフロアレイアウト情報および前記空気調和機の配置情報に基づいて、空気調和機の配置を含むフロアレイアウトを表す監視対象表示画像データを作成する監視対象表示画像作成手段と、前記空気調和機の運転状態情報とともに前記監視対象表示画像データを送信する送信手段とを具備することを特徴とする空調監視装置を提供する。
【０００６】
本発明によれば、監視対象表示画像作成手段により、ビルのフロアレイアウト上に空気調和機が配置された監視対象表示画像データが作成され、この監視対象表示画像データが空気調和機の運転状態情報とともにクライアント端末へ送信される。この場合において、監視対象表示画像データは、クライアント端末から送信されたビルのフロアレイアウト情報および空気調和機の配置情報に基づいて作成されるので、クライアント端末からの画像作成に関連する入力操作により生成される指示情報によって、空調監視装置が備える監視対象表示画像データを簡単にカスタマイズすることが可能となる。
また、フロアレイアウトが表示された画面上に、各空気調和機が配置されている場所に、各空気調和機の画像を表すことができるので、どの空気調和機がどのような運転状態にあるのかを非常にわかりやすく表示させることが可能となる。
【０００７】
また、本発明は、ビルに設置された空気調和機の運転状態を監視し、ネットワークを介して接続されているクライアント端末の要求に対して、前記空気調和機の運転状態を通知する空調監視装置であって、クライアント端末から送信された前記ビルのフロアレイアウト情報に基づいてフロアレイアウトを表す監視対象表示画像データを作成する監視対象表示画像作成手段と、前記クライアント端末から入力された空気調和機の配置情報と前記空気調和機の運転状態情報とに基づいて、前記監視対象表示画像上に、前記空気調和機の運転状態に応じた空気調和機の画像を表示させる空調機運転状態画像データを作成する空調機運転状態画像作成手段と、前記監視対象表示画像データと前記空調機運転状態画像データとを前記空気調和機の配置情報に基づき対応付けて前記クライアント端末へ送信する送信手段とを具備することを特徴とする空調監視装置を提供する。
【０００８】
本発明によれば、監視対象表示画像作成手段により、ビルのフロアレイアウトが示された監視対象表示画像データが作成され、空調機運転状態画像作成手段により、上記監視対象表示画像データ上に、空気調和機の運転状態に応じた空気調和機の画像を表示する空調機運転状態画像データが作成され、これらの画像データがクライアント端末へ送信される。この場合において、監視対象表示画像データおよび空調機運転状態画像データは、クライアント端末から画像作成入力されたビルのフロアレイアウト情報および空気調和機の配置情報に基づいて作成されるので、クライアント端末からの画像作成入力操作によって、空調監視装置が備える監視対象表示画像データ等を簡単にカスタマイズすることが可能となる。
また、フロアレイアウトが表示された画面上に、空気調和機の運転状態が反映された空気調和機の画像が表示されるとともに、その表示位置は、実際の空気調和機の設置位置に対応しているため、どの空気調和機がどのような運転状態にあるのかを非常にわかりやすく表示させることが可能となる。
ここで、上記運転状態とは、例えば、停止中、運転中、異常停止等の運転／停止に関する情報の他、冷房、暖房、ドライ等の運転モードに関するものであっても良い。
【０００９】
また、上記記載の空調監視装置において、前記空調機運転状態画像作成手段は、前記空気調和機の画像の周辺に、その空気調和機の運転状態情報が文字で表示されるように、前記空調機運転状態画像データを作成することが好ましい。
【００１０】
本発明によれば、フロアレイアウト画面上に空気調和機の画像が配置され、その画像の周辺に、その空気調和機の運転状態情報が文字で表示されるので、どの空気調和機がどのような運転状態にあるのかをより詳しく表示することが可能となる。
【００１１】
また、上記記載の空調監視装置において、前記監視対象表示画像データは、ＷＥＢ画面作成言語により作成されていることが好ましい。
本発明によれば、監視対象表示画像データは、ＷＥＢ画面作成言語により作成されているので、ＷＥＢブラウザが搭載されているクライアント端末であれば、監視対象表示画像データを表示させることが可能となる。これにより、各クライアント端末に画像表示用の専用アプリケーション等をインストールする作業が不要となる。
【００１２】
また、上記記載の空調監視装置において、前記監視対象表示画像データは、フロアレイアウト画像を形成する複数のセル情報と、当該セルの属性を特定する属性情報とを有するものであって、前記監視対象表示画像作成手段は、前記クライアント端末から送信された指示に基づき前記フロアレイアウト画像の所定の座標に表示される前記セルの属性情報を指示された属性に設定するとともに、前記セルの座標に対応付けて前記空気調和機の画像を配置させることが好ましい。
本発明によれば、属性情報と関連付けられたセルにより監視対象表示画像が作成されるので、セル情報を基準として簡略化されたかたちでフロアレイアウトを人間が認識しやすいように抽象化でき、監視対象を表示した監視装置からの情報伝達がより円滑に行なわれるシステムを提供できる。
【００１３】
また、上記記載の空調監視装置において、前記セルの属性の設定は、前記監視対象表示画像作成手段がクライアント端末に送信した複数の属性情報の選択指示に基づき行なわれるものであって、当該選択指示は、表示座標と関連付けた指示情報であることが好ましい。
本発明によれば、クライアント端末側において、送信された複数の属性情報に基づき、特定のセルに関連付けるべき属性情報を選択できるので、より容易にフロアレイアウトを表す監視対象画像を作成することができる。
監視対象表示画像作成手段は、例えば、複数の属性情報としてビルのレイアウトを特定するために必要となる要素、例えば、壁、床等を含む複数の属性情報をクライアント端末へ送信し、これらの属性情報と表示座標とを関連付けた指定を行うように、選択指示を行う。
【００１４】
また、本発明は、請求項１から請求項６のいずれかの項に記載の空調監視装置と、前記空調監視装置により監視される空気調和機と、前記空気調和機の運転状態が通知されるクライアント端末とを具備することを特徴とするビル管理システムを提供する。
【発明の効果】
【００１５】
本発明の空調監視装置およびビル管理システムによれば、クライアント端末から監視対象表示画像データを容易に作成、変更することが可能となるので、監視対象表示画像データの更新作業の負担を極めて軽減させることができるという効果が得られる。
また、監視対象表示画像を実際のフロアレイアウトと一致させることが可能となるので、どの空気調和機がどのような運転状態にあるのかを非常にわかりやすく表示させることができるという効果を奏する。
【発明を実施するための最良の形態】
【００１６】
以下に、本発明にかかる空調監視装置を適用したビル管理システムの一実施形態について、〔第１の実施形態〕、〔第２の実施形態〕の順に図面を参照して説明する。
【００１７】
〔第１の実施形態〕
図１は、本発明の第１の実施形態に係るビル管理システムの全体構成を示す図である。
図１に示すように、本実施形態に係るビル管理システムは、ＷＥＢブラウザが搭載されたクライアント端末１と、空気調和機（以下「空調機」という。）３の運転状態を所定の時間間隔で監視し、クライアント端末１の要求に対して空調機３の運転状態を通知する空調監視装置２とを主な構成として備えている。
上記クライアント端末１と空調監視装置２とは、ビル管理通信ネットワーク４を介して接続されている。このビル管理通信ネットワーク４は、ビル管理用に標準規格化された通信プロトコル（例えば、ＴＣＰ／ＩＰ）を使用したネットワークであり、例えば、ＬＡＮ（Local Area Network）等である。また、上記空調監視装置２と空調機３とは、空調制御ネットワーク５を介して接続されている。この空調制御ネットワーク５は、空調機３の制御監視用に標準規格化された通信プロトコルを使用したネットワークである。
【００１８】
次に、上記空調監視装置２の詳細について、図２を参照して説明する。図２は、空調制御監視装置２の概略構成を示すブロック図である。図２に示されているように、空調監視装置２は、所定の時間間隔で空調機３の運転状態を監視する監視部２０、および各空調機の運転状態をクライアント端末１へ通知するためのＷＥＢサーバ３０を主な構成として備えている。
監視部２０は、空調機の運転状態情報が書き込まれる運転状態テーブル２１と、所定の時間間隔で空調機と通信を行うことにより、各空調機の運転状態を示す運転状態情報を取得する通信部２２と、取得した運転状態情報を運転状態テーブル２１に反映させるデータ更新部２３とを備えている。このデータ更新部２３の作用により、運転状態テーブル２１には、常に最新の運転状態情報が書き込まれることとなる。ここで、運転状態情報とは、例えば、運転中か停止中かを示す運転／停止情報、冷房、暖房、ドライ等を示す運転モード情報、設定温度を示す温度情報等の運転状態に係る各種情報をいう。
【００１９】
ＷＥＢサーバ３０は、クライアント端末１から入力されたビルのフロアレイアウト情報および空調機の配置情報に基づいて、フロアレイアウト上に空調機を示すグラフィック部品が配置された監視対象表示画像データ３１を作成する監視対象表示画像作成部（監視対象表示画像作成手段）３２と、この監視対象表示画像データ３１上に空調機３の運転状態情報を表示させるための空調機運転状態画像データ３３を作成する空調機運転状態画像作成部３４と、クライアント端末１と通信を行うための通信部（送信手段）とを備える。
【００２０】
次に、上記構成からなる空調監視装置の動作について説明する。
〔監視対象表示画面データの作成処理〕
まず、ＷＥＢサーバ３０の監視対象表示画像作成部３２により実行される監視対象表示画像データの作成処理について、図３を参照して説明する。
この処理は、ビルのフロアレイアウトに一致する監視対象表示画像を作成する場合、あるいは、ビルのフロアレイアウトに変更が生じたことにより、既存の監視対象表示画像に変更を加える必要が生じた場合に、クライアント端末１からの要求に応じて、実行される処理である。
図３は、監視対象表示画像データの作成処理を概念的に示した図である。
まず、クライアント端末１から監視対象表示画像データの作成処理の要求イベントを受け付けると、監視対象表示画像作成部３２は、自己が備えるメモリ領域に格納されているフロアレイアウト定義用ＨＴＭＬデータ３６を読み出し、このデータを通信部３５を介してクライアント端末１へ送信する。
ここで、フロアレイアウト定義用ＨＴＭＬデータ３６は、ＨＴＭＬのテーブル表示書式により作成されているデータであり、所定の表示領域を複数のセル（Ｍ列×Ｎ行）に分割して表示させるためのＨＴＭＬテーブルデータ３６１、フロアレイアウト画像等を作成するための処理を実行するJAVAスクリプト（JAVA:登録商標）３６２、上記Ｍ列×Ｎ行のセル表示領域の外側に、前記セルの属性として設定される複数の属性情報であるブロックメニュー（例えば、壁や床等）４０を表示させるためのブロックメニューテーブルデータ（図示略）等を備えている。
【００２１】
クライアント端末１のＷＥＢブラウザ１１は、受信したフロアレイアウト定義用ＨＴＭＬデータ３６のJAVAスクリプト（JAVA:登録商標）３６２を解析し、実行することにより、Ｍ列×Ｎ行のセルと、複数のブロックメニュー４０とからなる初期レイアウト画面１２をモニタに表示させ、フロアレイアウト情報の入力操作をユーザに対して指示する。つまり、ブロックメニューとして表示した壁、床、空調機等と、これらのブロックメニューを配置させる表示座標（セル座標）を関連付けて指定する旨を指示する。
続いて、クライアント端末１の入力装置がユーザによって操作されることにより、ブロックメニューの選択及びセル座標の指定が行われると、クライアント端末１は、指定された座標情報に、選択されたブロックメニュー４０を属性情報として関連付けて、監視対象表示画像作成部３２へ送信する。
監視対象表示画像作成部３２（図２参照）は、受信した情報に基づいてフロアレイアウトを表すＨＴＭＬデータを作成する。
【００２２】
例えば、監視対象表示画像作成部３２（図２参照）は、“壁”のブロックメニューと、（ｊ列，ｉ行）で指定されるセルの座標情報とを受け付けると、この座標情報（ｊ列，ｉ行）に相当するテーブルセルに、指定された属性を設定することにより、指定されたセルに壁を表示させるＨＴＭＬデータを作成する。或いは、予め“壁”を表示するものとして定義されているテーブルセルに、座標情報（ｊ列，ｉ行）を設定することにより、指定されたセルに壁を表示させるＨＴＭＬデータを作成するようにしても良い（後述する図５のセルＢ参照）。
本実施形態では、監視対象表示画像を表示させる際には、壁や床などを色によって区別して表示するため、各属性情報に対応する色情報を、セルの属性として設定する。
【００２３】
また、“空調機”のブロックメニューと、２列×２行からなる座標情報を受け付けた場合には、この座標領域と空調機のグラフィック部品とを対応付けた画像データを作成する。このグラフィック部品の設定は、例えば、空調機が表示される部分に対応する座標領域（この場合には、２列×２行からなるセル情報）に、空調機の画像情報もしくは画像情報が格納されているリンクアドレスを対応付けることにより行うことができる。
監視対象表示画像作成部３２は、上述したような設定処理を入力イベントが発生する度に実行することにより、フロアレイアウト上に空調機の画像が配置された監視対象表示画像データ３１を作成し、この作成した監視対象表示画像データ３１を自己が備える所定のメモリ領域に保存する。
【００２４】
次に、図４、および図５に、上記フロアレイアウト定義用ＨＴＭＬデータ３６の一例の概略を示す。
図４のセルＡには、上述したJAVAスクリプト（JAVA:登録商標）３６２が記述されている。また、図４中、要素Ｅ１では、初期レイアウト画面１２において、“壁”のブロックメニューが選択されたことを検出するための要素が示されている。また、要素Ｅ２では、“床”のブロックメニューが選択されたことを検出するための要素が示されている。
また、図５のセルＢには、壁または床として指定された座標情報を設定することにより、フロアレイアウトの輪郭画像を作成するテーブルセルが示されている。
【００２５】
〔空調機運転状態画像データの作成処理〕
次に、空調機運転状態画像作成部３４により実施される空調機運転状態画像の作成処理について説明する。この処理は、監視部２０のデータ更新部２３により、運転状態テーブル２１の更新がされる度に毎回実行される処理である。
つまり、本実施形態では、所定の時間間隔（例えば、１秒間隔）で監視部２０は各空調機の運転状態情報を取得し、運転状態テーブル２１を更新しているため、当該処理も同間隔で実行される。この点、フロアレイアウトを変更する必要が生じた場合に実行される上述の監視対象表示画像データの作成処理とは、実行頻度が著しく異なる。
【００２６】
まず、図２に示される空調機運転状態画像作成部３４は、監視部２０内の運転状態テーブル２１に設定されている各空調機３ａ、３ｂ等の運転状態情報を参照することにより、この運転状態情報を上述の監視対象表示画像作成部３２により作成された監視対象表示画像上に表示する画像データを作成する。
ここで、空調機運転状態画像作成部３４は、空調機毎に、そのＩＤとフロアレイアウト上における座標情報とが対応付けられた配置情報を有している。これは、例えば、上述の監視対象表示画像の作成処理において、空調機の配置情報が入力された際に作成されるものである。
空調機運転状態画像作成部３４は、監視対象表示画像３１上に配置される各空調機３（３ａ、３ｂ等）のグラフィック部品の周辺に、その空調機３の運転状態（例えば、運転／停止情報、運転モード、設定温度等）を文字により表すような空調機運転状態画像データ３３を作成する。そして、この空調機運転状態画像データ３３を自己に割り当てられている所定のメモリ領域に一次格納する。
続いて、この空調機運転状態画像データ３３と、上述の監視対象表示画像データ３１とを通信部３５を介してクライアント端末１へ送信する。
これにより、クライアント端末１のＷＥＢブラウザ１１がこれらのＨＴＭＬデータにより作成された各種画像データを解析し、実行する。これにより、クライアント端末１のモニタには、ビルのフロアレイアウト上に空調機３がグラフィック部品として配置され、更に、各空調機のグラフィック部品周辺に、その空調機の運転状態が文字にて表された画面（図示略）が表示されることとなる。
そして、当該処理が所定時間間隔で実行されることにより、常に最新の運転状態情報をクライアント端末１に対して通知することが可能となる。
【００２７】
以上、述べてきたように、本実施形態に係る空調監視装置２によれば、クライアント端末１から送信されてきたビルのフロアレイアウト情報および空調機３の配置情報に基づいて、空調機の配置を含むフロアレイアウトを表す監視対象表示画像データ３１を作成し、この監視対象表示画像データ３１を各空調機（３ａ、３ｂ等）の運転状態を示す空調機運転状態画像データ３３とともに送信する。
この場合において、監視対象表示画像データ３１は、クライアント端末１から送信されたビルのフロアレイアウト情報および空調機３の配置情報に基づいて作成されるので、クライアント端末１からの入力操作によって、空調監視装置２が備える監視対象表示画像データを簡単にカスタマイズすることが可能となる。
これにより、ビルのフロアレイアウトを新規作成する場合やフロアレイアウト等に変更が生じた場合に、クライアント端末１から監視対象表示画像データ３１を容易に作成、変更することが可能となるので、監視対象表示画像データ３１の更新作業の負担を極めて軽減させることができるという効果が得られる。
【００２８】
続いて、本発明の第２の実施形態に係る空調監視装置を適用したビル管理システムについて、図面を参照して説明する。
〔第２の実施形態〕
本実施形態に係る空調監視装置の構成は、上述した第１の実施形態に係る空調監視装置の構成と略同じであるが、空調機のグラフィック部品を監視対象表示画像データ３１として取り扱うのではなく、空調機運転状態画像データ３３として取り扱う点で異なる。
以下、〔監視対象表示画像データの作成処理〕、〔空調機運転状態表示データの作成処理〕の順にそれぞれ説明する。
【００２９】
〔監視対象表示画像データの作成処理〕
まず、上述の第１の実施形態と同様、空調監視装置２（図３参照）からフロアレイアウト定義用ＨＴＭＬデータ３６をクライアント端末１へ送信することにより、クライアント端末１のモニタに、初期レイアウト画面１２を表示させる。
そして、クライアント端末１から、セルの座標情報に、壁または床のブロックメニュー４０の属性情報が関連付けられて送信されてくると、監視対象表示画像作成部３２は、指定されたセルの座標情報に、ブロックメニュー４０毎に定義された色を設定することにより、フロアレイアウト画像のＨＴＭＬデータを作成する。
一方、初期レイアウト画面において、空調機のブロックメニュー４０とその表示領域とを受け付けた場合には、クライアント端末１は、この空調機の座標情報と当該空調機のＩＤ番号とを対応付けた配置情報を作成する処理を行う。ここで、空調機のＩＤ番号は、ユーザに対してＩＤ番号の入力を指示する表示をモニタに行うことにより、取得することが可能である。
監視対象表示画像作成部３２（図２参照）により、上記処理が行われることにより、フロアレイアウトを示す監視対象表示画像データ３１が作成されるとともに、空調機ＩＤとそのセルの座標情報とが対応付けられた配置情報が作成される。監視対象表示画像作成部３２は、監視対象表示画像データ３１および各空調機の配置情報を所定のメモリ領域に保存する。
【００３０】
〔空調機運転状態表示データの作成処理〕
次に、空調機運転状態画像作成部３４の処理について説明する。
まず、空調機運転状態画像作成部３４は、監視部２０の運転状態テーブル２１を参照することにより、各空調機の運転状態情報を取得する。
続いて、取得した運転状態情報のうち、運転／停止情報に対応するグラフィック部品を図示しないグラフィック部品定義テーブルから抽出する。ここで、運転／停止情報とは、例えば、停止中、運転中、異常停止中等を示す情報である。
続いて、空調機運転状態画像作成部３４は、上述の監視対象表示画像作成部３２の所定メモリ領域から空調機の配置情報を読み出し、この配置情報から各空調機の座標情報を取得する。
そして、取得した各座標情報により指定される表示領域に、先ほど抽出したグラフィック部品を設定する処理を行う。更に、設定したグラフィック部品の周辺に、その空調機のその他の運転状態を文字により示す画像データを作成する。例えば、冷房、暖房、ドライ等の運転モード、設定温度、室内温度、湿度等を表示させる画像データをＨＴＭＬにより作成する。
このような処理が行われることにより、図６に示すような、空調機運転状態画像データ３３が作成される。
【００３１】
そして、図６に示されるように、監視対象表示画像作成部３２により作成された監視対象表示画像データ３１と、空調機運転状態画像作成部３４により作成された空調機運転状態画像データ３３とを通信部３５を介してクライアント端末１へ送信する。
クライアント端末１のブラウザソフトウェアは、受信したＨＴＭＬデータを解析して、実行する。これにより、例えば、図７に示されるような画面がモニタに表示される。
【００３２】
以上述べてきたように、本実施形態に係る空調監視装置２によれば、監視対象表示画像作成部３２により、ビルのフロアレイアウトが示された監視対象表示画像データ３１が作成され、空調機運転状態画像作成部３４により、上記監視対象表示画像データ３１上に、空調機３の運転状態に応じたグラフィック部品４０（図６参照）を表示する空調機運転状態画像データ３３が作成され、これらの画像データ３１、３３がクライアント端末１へ送信される。この場合において、監視対象表示画像データ３１および空調機運転状態画像データ３３は、クライアント端末１から入力されたビルのフロアレイアウト情報および空気調和機の配置情報に基づいて作成されるので、クライアント端末からの入力操作によって、空調監視装置２が備える監視対象表示画像データ３１等を簡単にカスタマイズすることが可能となる。
【００３３】
更に、図７に示されるように、フロアレイアウトが表示された画面上の空調機３の設置位置に対応するセル座標に、その空調機３の運転状態が反映されたグラフィック部品４０が表示されるので、どの空調機がどのような運転状態にあるのかを非常にわかりやすく表示することが可能となる。
また、フロアレイアウト画面に表示された空調機の周辺には、その空調機の運転状態情報が、文字により表示するので、詳細な情報を表示させることが可能となる。
また、監視対象表示画像データ３１および空調運転状態画像データ３３は、ＨＴＭＬで作成されているので、ＷＥＢブラウザが搭載されているクライアント端末１であれば、これらの画像データを表示させることが可能となる。これにより、各クライアント端末１に画像表示用の専用アプリケーション等をインストールする作業が不要となる。
【００３４】
以上、本発明の実施形態について図面を参照して詳述してきたが、具体的な構成はこの実施形態に限られるものではなく、本発明の要旨を逸脱しない範囲の設計変更等も含まれる。
例えば、監視対象表示画像データの作成処理等をJAVAスクリプト（JAVA:登録商標）により実現したが、その他のスクリプト言語によっても実現可能である。
また、第２の実施形態に係る空調監視装置２では、空調機３のグラフィック部品４０をその運転状態に応じて変化させたが、この画面表示形態に加えて、図８に示すようなフロアの温度が反映された画面表示を行うことも可能である。これは、室内の温度情報についても監視部２０が監視することとし、監視部２０により取得された室内の温度情報に基づいて、ＴＨＭＬのテーブルセルに、温度に応じた色を設定することにより実現することができる。
【図面の簡単な説明】
【００３５】
【図１】本発明の空調制御監視装置が適用されるビル管理システムの全体構成図である。
【図２】本発明の第１の実施形態に係る空調監視装置の構成を示すブロック図である。
【図３】図２に示した空調監視装置により行われる監視対象表示画像データの作成処理について説明するための図である。
【図４】図３に示したフロアレイアウト定義用ＨＴＭＬデータの一例を示す図である。
【図５】図４に示したフロアレイアウト定義用ＨＴＭＬデータの続きを示す図である。
【図６】本発明の第２の実施形態に係る空調監視装置の動作を説明するための図である。
【図７】本発明の第２の実施形態に係る空調監視装置により作成された画像データを表示させた画面の一例を示す図である。
【図８】図７に示した画面の変形例を示す図である。
【符号の説明】
【００３６】
１  クライアント端末
２  空調監視装置
３  空気調和機
２０  監視部
２１  運転状態テーブル
２２  通信部
２３  データ更新部
３０  ＷＥＢサーバ
３１  監視対象表示画像データ
３２  監視対象表示画像作成部
３３  空調機運転状態画像データ
３４  空調機運転状態画像作成部
３５  通信部
【図１】
2005308278.tif 000003
【図２】
2005308278.tif 000004
【図３】
2005308278.tif 000005
【図４】
2005308278.tif 000006
【図５】
2005308278.tif 000007
【図６】
2005308278.tif 000008
【図７】
2005308278.tif 000009
【図８】
2005308278.tif 000010